(57)【要約】【課題】  読み取られる画像の質が低下することを防止することが可能な画像読取装置を提供することを目的とする。【解決手段】  撮像部６０は、一対の線状光源６１と、一対の集光板６２と、一対の照明用筐体６７と、折り返しミラー６３、６４と、集光レンズ６５と、ＣＣＤラインセンサ６６と、これらの折り返しミラー６３、６４、集光レンズ６５、ＣＣＤラインセンサ６６を内部に配置する読取用筐体６８と、一対のエアノズル９４とを備える。各照明用筐体６７には、光出射開口部６７ａが形成され、光出射開口部６７ａには、この光出射開口部６７ａを覆う光出射カバー９１が配設される。読取用筐体６８には、光入射開口部６８ａが形成される。この光入射開口部６８ａは、エア用流路９３に臨む位置に形成され、この光入射開口部６８ａを覆う光入射カバー９２が配設される。【選択図】        図４
2006314020.tif 000002
【特許請求の範囲】
【請求項１】
移動する印刷用紙上の画像を読み取る画像読取装置において、
印刷用紙に対して光を照射する一対の光源と、
前記各光源を内部に配置するとともに、印刷用紙に対して前記各光源から光を出射するための光出射開口部が形成された一対の照明用筐体と、
光透過部材により構成され、前記光出射開口部を覆う光出射カバー部材と、
前記印刷用紙に照射された光の反射光を読み取る読取手段と、
前記読取手段を内部に配置するとともに、前記反射光を入射させるための光入射開口部が、前記一対の照明用筐体の側壁により形成されるエア用流路に臨む位置に形成された読取用筐体と、
光透過部材により構成され、前記光入射開口部から前記読取用筐体内への空気の流入を防止するための光入射カバー部材と、
前記エア用流路に対して印刷用紙搬送平面に向けたエア流を形成するためのエアを供給するエア供給手段と、
を備えることを特徴とする画像読取装置。
【請求項２】
請求項１に記載の画像読取装置において、
前記照明用筐体には、前記エア供給手段に接続されるエア流入口と、前記エア流入口から流入したエアを前記エア用流路に流出するエア流出口と、が形成される画像読取装置。
【請求項３】
請求項２に記載の画像読取装置において、
前記照明用筐体には、前記エア流入口から流入したエアを前記光出射カバー部材の表面に向けて流出させるための第２エア流出口が、さらに形成される画像読取装置。
【請求項４】
請求項１乃至請求項３のいずれかに記載の画像読取装置において、
前記エア供給手段により形成されたエア流を、印刷用紙方向と前記各光出射カバーの表面方向とに分岐するためのエア分岐部材を備える画像読取装置。
【請求項５】
移動する印刷用紙上の画像を読み取る画像読取装置において、
印刷用紙に対して光を照射する一対の光源と、
前記各光源を内部に配置するとともに、印刷用紙に対して前記各光源から光を出射するための光出射開口部が形成された一対の照明用筐体と、
光透過部材により構成され、前記光出射開口部から前記照明用筐体内への空気の流入を防止するための光出射カバー部材と、
前記印刷用紙に照射された光の反射光を読み取る読取手段と、
前記読取手段を内部に配置するとともに、前記反射光を入射させるための光入射開口部が、前記一対の照明用筐体の側壁の間に臨む位置に形成された読取用筐体と、
光透過部材により構成され、前記光入射開口部から前記読取用筐体内への空気の流入を防止するための光入射カバー部材と、
前記光出射カバー部材および前記光入射カバー部材に対してエアを噴き付けるエア噴付手段と、
を備えることを特徴とする画像読取装置。
【請求項６】
請求項１乃至請求項５のいずれかに記載の画像読取装置において、
前記光出射カバー部材および前記光入射カバー部材に当接して移動可能なブラシと、
前記ブラシを移動させるブラシ移動手段と、
を備える画像読取装置。
【請求項７】
請求項１乃至請求項６のいずれかに記載の画像読取装置において、
前記光出射カバー部材および前記光入射カバー部材を振動させる振動手段を備える画像読取装置。
【請求項８】
請求項７に記載の画像読取装置において、
前記振動手段は、超音波振動子により構成される画像読取装置。
【発明の詳細な説明】
【技術分野】
【０００１】
この発明は、移動する印刷用紙上の印刷された画像を読み取る画像読取装置に関する。
【背景技術】
【０００２】
原稿台上に載置された原稿の画像を読み取る画像読取装置については、特許文献１に記載された、簡単かつ低コストで画像読取のためのミラーへのゴミの付着を防止する装置が公知である。この特許文献１に記載の装置は、画像読取のためのＣＣＤとレンズと、ミラーと、このミラーを振動させるためのステッピングモータとを備え、このステッピングモータの駆動によりミラーが振動することにより、ミラーへのゴミの付着を防止することができるものである。
【０００３】
また、画像走査装置においては、特許文献２に記載の装置のように、偏光器を収容するケーシングの内部へのゴミの侵入を防止する装置が公知である。この特許文献２に記載の装置は、偏光器と、偏光器を収容するケーシングと、ケーシングの出射開口の外側付近に走査光を横切る空気の流れを形成する手段とを備えることにより、このケーシングの外部からのゴミの侵入を防止することができるものである。
【特許文献１】特開平１１−２０５５４３号公報
【特許文献２】特開平０９−０２６５５１号公報
【発明の開示】
【発明が解決しようとする課題】
【０００４】
しかしながら、特許文献１に記載の装置では、ミラー自体へのゴミの付着を防止できるとしても、他の画像読取のための手段としてのＣＣＤやレンズ等に対してゴミが付着するおそれがある。このため、画像読取のためのＣＣＤやレンズ等にゴミが付着することにより、読み取られる画像の質が低下する場合がある。
【０００５】
また、特許文献２に記載の装置では、画像走査装置におけるケーシング内へのゴミの侵入を防止できるものであるが、画像読取装置を構成する照明用筐体と読取用筐体との両方に対してゴミの侵入を防止できるものではない。このため、読み取られる画像の質を高度に維持することを保障することができない。
【０００６】
この発明は、以上のような課題を解決するためになされたものであり、読み取られる画像の質が低下することを防止することが可能な画像読取装置を提供することを目的とする。
【課題を解決するための手段】
【０００７】
請求項１に記載の発明は、移動する印刷用紙上の画像を読み取る画像読取装置において、印刷用紙に対して光を照射する一対の光源と、前記各光源を内部に配置するとともに、印刷用紙に対して前記各光源から光を出射するための光出射開口部が形成された一対の照明用筐体と、光透過部材により構成され、前記光出射開口部を覆う光出射カバー部材と、前記印刷用紙に照射された光の反射光を読み取る読取手段と、前記読取手段を内部に配置するとともに、前記反射光を入射させるための光入射開口部が、前記一対の照明用筐体の側壁により形成されるエア用流路に臨む位置に形成された読取用筐体と、光透過部材により構成され、前記光入射開口部から前記読取用筐体内への空気の流入を防止するための光入射カバー部材と、前記エア用流路に対して印刷用紙搬送平面に向けたエア流を形成するためのエアを供給するエア供給手段と、を備えることを特徴とする。
【０００８】
請求項２に記載の発明は、請求項１に記載の画像読取装置において、前記照明用筐体には、前記エア供給手段に接続されるエア流入口と、前記エア流入口から流入したエアを前記エア用流路に流出するエア流出口と、が形成される。
【０００９】
請求項３に記載の発明は、請求項２に記載の画像読取装置において、前記照明用筐体には、前記エア流入口から流入したエアを前記光出射カバー部材の表面に向けて流出させるための第２エア流出口が、さらに形成される。
【００１０】
請求項４に記載の発明は、請求項１乃至請求項３のいずれかに記載の画像読取装置において、前記エア供給手段により形成されたエア流を、印刷用紙方向と前記各光出射カバーの表面方向とに分岐するためのエア分岐部材を備える。
【００１１】
請求項５に記載の発明は、移動する印刷用紙上の画像を読み取る画像読取装置において、印刷用紙に対して光を照射する一対の光源と、前記各光源を内部に配置するとともに、印刷用紙に対して前記各光源から光を出射するための光出射開口部が形成された一対の照明用筐体と、光透過部材により構成され、前記光出射開口部から前記照明用筐体内への空気の流入を防止するための光出射カバー部材と、前記印刷用紙に照射された光の反射光を読み取る読取手段と、前記読取手段を内部に配置するとともに、前記反射光を入射させるための光入射開口部が、前記一対の照明用筐体の側壁の間に臨む位置に形成された読取用筐体と、光透過部材により構成され、前記光入射開口部から前記読取用筐体内への空気の流入を防止するための光入射カバー部材と、前記光出射カバー部材および前記光入射カバー部材に対してエアを噴き付けるエア噴付手段と、を備えることを特徴とする。
【００１２】
請求項６に記載の発明は、請求項１乃至請求項５のいずれかに記載の画像読取装置において、前記光出射カバー部材および前記光入射カバー部材に当接して移動可能なブラシと、前記ブラシを移動させるブラシ移動手段と、を備える。
【００１３】
請求項７に記載の発明は、請求項１乃至請求項６のいずれかに記載の画像読取装置において、前記光出射カバー部材および前記光入射カバー部材を振動させる振動手段を備える。
【００１４】
請求項８に記載の発明は、請求項７に記載の画像読取装置において、前記振動手段は、超音波振動子により構成される。
【発明の効果】
【００１５】
請求項１に記載の発明によれば、光透過部材により構成され、光出射開口部を覆う光出射カバー部材と、反射光を入射させるための光入射開口部が、一対の照明用筐体の側壁により形成されるエア用流路に臨む位置に形成された読取用筐体と、光透過部材により構成され、光入射開口部から読取用筐体内への空気の流入を防止するための光入射カバー部材と、エア用流路に対して印刷用紙搬送平面に向けたエア流を形成するためのエアを供給するエア供給手段とを備えることから、読取用筐体内部へのゴミの侵入を防止し、読み取られる画像の質が低下することを防止することが可能となる。
【００１６】
請求項２に記載の発明によれば、照明用筐体には、エア供給手段に接続されるエア流入口と、エア流入口から流入したエアをエア用流路に流出するエア流出口と、が形成されることから、照明用筐体内部へのゴミの侵入を防止するとともに、照明用筐体内部の温度上昇を低減することが可能となる。
【００１７】
請求項３に記載の発明によれば、照明用筐体には、エア流入口から流入したエアを光出射カバー部材の表面に向けて流出させるための第２エア流出口が、さらに形成されることから、光出射カバー部材の表面へのゴミの付着を防止することが可能となる。
【００１８】
請求項４に記載の発明によれば、エア供給手段により形成されたエア流を、印刷用紙方向と各光出射カバーの表面方向とに分岐するためのエア分岐部材を備えることから、光出射カバー部材および光入射カバー部材の表面へのゴミの付着を防止することが可能となる。
【００１９】
請求項５に記載の発明によれば、光透過部材により構成され、光出射開口部から照明用筐体内への空気の流入を防止するための光出射カバー部材と、反射光を入射させるための光入射開口部が、一対の照明用筐体の側壁の間に臨む位置に形成された読取用筐体と、光透過部材により構成され、光入射開口部から読取用筐体内への空気の流入を防止するための光入射カバー部材と、光出射カバー部材および光入射カバー部材に対してエアを噴き付けるエア噴付手段と、を備えることから、光出射カバー部材および光入射カバー部材に対してゴミが付着することを防止し、読み取られる画像の質が低下することを防止することが可能となる。
【００２０】
請求項６に記載の発明によれば、光出射カバー部材および光入射カバー部材に当接して移動可能なブラシと、ブラシを移動させるブラシ移動手段と、を備えることから、光出射カバー部材および光入射カバー部材の表面に付着したゴミを光出射カバー部材および光入射カバー部材から剥離することが可能となる。
【００２１】
請求項７に記載の発明によれば、光出射カバー部材および光入射カバー部材を振動させる振動手段を備えることから、光出射カバー部材および光入射カバー部材の表面に付着したゴミを光出射カバー部材および光入射カバー部材から剥離することが可能となる。
【００２２】
請求項８に記載の発明によれば、振動手段が、超音波振動子により構成されることから、簡易な構成でありながら、光出射カバー部材および光入射カバー部材を振動させることが可能となる。
【発明を実施するための最良の形態】
【００２３】
以下、この発明の実施の形態を図面に基づいて説明する。図１は、この発明を適用する印刷装置の概要図である。
【００２４】
この印刷装置は、第１の版胴１１と、第２の版胴１２と、第１の版胴１１と当接可能に設けられたブランケット胴１３と、第２の版胴１２と当接可能に設けられたブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を第１の圧胴１５に渡すための給紙胴１７と、第１の圧胴１５から受け取った印刷用紙を第２の圧胴１６に渡すための渡し胴１８と、第２の圧胴１６から受け取った印刷用紙を排紙部３２に排出するためのチェーン２３をスプロケット２２との間で巻回した排紙胴１９と、印刷用紙に印刷された画像を撮像するとともに検出パッチの濃度を測定するための撮像部６０と、を有する。
【００２５】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００２６】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙の先端を保持して搬送するための図示しないグリッパを有する。
【００２７】
圧胴１５に隣接して配設された給紙胴１７は、第１、第２の圧胴１５、１６と同一の直径を有する。この給紙胴１７は、その隔回転毎に、給紙部３１から１枚ずつ供給された印刷用紙の先端をグリッパにより保持して搬送する。グリッパにより保持した印刷用紙の先端部は、給紙胴１７から第１の圧胴１５への印刷用紙の受け渡し時に、第１の圧胴１５のグリッパにより保持される。
【００２８】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２９】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上にグリッパ３０（図２参照）が配設されている。第２の圧胴１６のグリッパにより保持された印刷用紙の先端部は、第２の圧胴１６から排紙胴１９への印刷用紙の受け渡し時に、排紙胴１９のいずれかのグリッパ３０により保持されている。そして、この印刷用紙は、チェーン２３の移動に伴って、排紙部３２に排出される。
【００３０】
給紙胴１７の端部に付設されたギヤは、従動プーリ２５と同芯軸上に配設されたギヤ２６と連結している。そして、モータ２７の駆動により回転する駆動プーリ２８と従動プーリ２５との間には、ベルト２９が巻回されている。このため、給紙胴１７は駆動モータ２７の駆動により回転する。一方、第１、第２の圧胴１５、１６、給紙胴１７、渡し胴１８および排紙胴１９は、各々その端部に付設されたギヤにより連結されている。このため、駆動モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００３１】
第１の版胴１１の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂとが配置されている。また、第２の版胴１２の周囲には、印刷版に例えばマゼンダ（Ｍ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００３２】
さらに、第１の版胴１１または第２の版胴１２の周囲には、それぞれ、第１の版胴１１の外周部に印刷版を供給するための給版部３３と、第２の版胴１２の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００３３】
このような印刷装置においては、給版部３３における供給カセット４１から引き出された印刷版はカッター４２により所定のサイズに切断される。そして、切断されたシート状の印刷版の先端部は、図示しないガイドローラおよびガイド部材により案内され、第１の版胴１１の咥え爪に咥えられる。そして、第１の版胴１１が図示しないモータの駆動により低速で回転し、印刷版が第１の版胴１１の外周部に巻き付けられ、印刷版の後端部は他方の咥え爪により咥えられる。この状態において、第１の版胴１１を低速で回転させながら、画像記録装置３５により第１の版胴１１の外周部に保持された印刷版の表面に変調されたレーザビームを照射し、画像を記録する。
【００３４】
同様に、給版部３４における供給カセット４３から引き出された印刷版はカッター４４により所定のサイズに切断される。そして、切断されたシート状の印刷版の先端部は、図示しないガイドローラおよびガイド部材により案内され、第２の版胴１２が図示しないモータの駆動により低速で回転し、印刷版が第２の版胴１２の外周部に巻き付けられ、印刷版の後端部は他方の咥え爪により咥えられる。この状態において、第２の版胴１２を低速で回転させながら、画像記録装置３６により第２の版胴１２の外周部に保持された印刷版の表面に変調されたレーザビームを照射し、画像を記録する。
【００３５】
なお、第１の版胴１１の外周部には、ブラックのインキで印刷を行うための印刷版と、シアンのインキで印刷を行うための印刷版とが装着される。これら２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンダのインキで印刷を行うための印刷版をと、イエローのインキで印刷を行うための印刷版とが装着される。これら２枚の印刷版も、均等に振り分けられた状態となる位置に配置され、画像記録装置３６はこれらの印刷版に画像を記録して、製版工程が終了する。
【００３６】
製版工程が終了すれば、第１、第２の版胴１１、１２上の印刷版を用いて印刷用紙に印刷を行う印刷工程を実行する。この印刷工程は、次のようにして実行される。
【００３７】
すなわち、まず、各湿し水供給装置２１および各インキ供給装置２０を第１、第２の版胴１１、１２上に保持された印刷版のうち対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３８】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００３９】
第１の圧胴１５が２回転すれば、印刷用紙は第１の圧胴１５から渡し胴１８を介して第２の圧胴１６に渡される。印刷用紙を受け取った第２の圧胴１６が回転を続けると、第２の圧胴１６は、第２の版胴１２および第２のブランケット胴１３の１／２の直径を有することから、第２の圧胴１６の外周部に保持された印刷用紙には、その１回転目においてマゼンダのインキが、また、その２回転目においてイエローのインキが転写される。
【００４０】
このようにして、４色の印刷が終了した印刷用紙は、一対のチェーン２３の駆動により、排紙部３２に向けて搬送される。このとき、搬送中の印刷用紙は、撮像部６０により撮像され、その画像は図示しないコントロールパネルに表示される。
【００４１】
図２は、この発明の第１実施形態に係る画像読取装置としての撮像部６０を排紙胴１９等の排紙機構とともに示す側面概要図である。
【００４２】
一対のチェーン２３は、排紙胴１９の両端部と一対のスプロケット２２との間に無端状に掛け渡されている。そして、上述したように、一対のチェーン２３を連結する図示しない連結部材上には、各々、印刷用紙の先端部を咥えて搬送するためのグリッパ３０が配設されている。
【００４３】
一対のチェーン２３の長さは、第１、第２の圧胴１５、１６の周長の整数倍の長さとなっており、チェーン２３上におけるグリッパ３０の配置間隔は、第１、第２の圧胴１５、１６の周長と等しくなるように設定されている。そして、各グリッパ３０は、図示しないカム機構によって、排紙胴１９に設けられたグリッパと同期して開閉するように構成されており、排紙胴１９から印刷用紙を受け取り、チェーン２３の回転に伴って印刷用紙を搬送した後、図示しないカム機構により開放されて印刷用紙の先端部のみをグリッパ３０により咥えて搬送するため、印刷用紙の後端は固定されていない状態で搬送されることになる。このため、この搬送時には、印刷用紙のばたつきが発生し、後述する撮像部６０による画像の撮像や検出パッチの濃度等の測定動作に支障をきたすことになる。これを防止するため、この印刷装置においては、排紙部３２の前方側において印刷用紙の搬送状態を安定される吸着ローラ７０が設けられている。
【００４４】
この吸着ローラ７０は、その表面に微細な吸着孔を多数備えた中空状のローラから構成されており、その中空部は図示しない真空ポンプと接続されている。この吸着ローラ７０の端部にはギヤ７１が付設されている。このギヤ７１は、アイドラギヤ７２、７３を介して排紙胴１９の端部に付設されたギヤと連結されている。これにより、吸着ローラ７０は、グリッパ３０の通過速度に合わせて回転駆動される。このため、印刷用紙は、吸着ローラ７０上を通過する際には吸着ローラ７０の表面に吸着された状態となって搬送されることになり、吸着ローラ７０上では、ばたつきは発生しない。なお、吸着ローラ７０に代えて、印刷用紙を平面的に吸着するように吸着部材を使用してもよい。
【００４５】
図３はこの発明の第１実施形態に係る画像読取装置としての撮像部６０を示す正面概要図である。また、図４はその側断面図であり、図５はその裏面図である。
【００４６】
撮像部６０は、吸着ローラ７０と平行に配設され、吸着ローラ７０上の印刷用紙を照明する一対の線状光源６１と、一対の集光板６２と、各線状光源６１および集光板６２を内部に配置する一対の照明用筐体６７と、折り返しミラー６３、６４と、集光レンズ６５と、ＣＣＤラインセンサ６６と、これらの折り返しミラー６３、６４、集光レンズ６５、ＣＣＤラインセンサ６６を内部に配置する読取用筐体６８とを備える。
【００４７】
各照明用筐体６７には、各線状光源６１から光を出射するための光出射開口部６７ａが形成される。そして、光出射開口部６７ａには、光透過部材としてのガラスにより構成され、この光出射開口部６７ａを覆う光出射カバー９１が配設される。また、各照明用筐体６７は、それらの側壁により後述するエア流の流路としてのエア用流路９３を形成するように配設される。
【００４８】
読取用筐体６８には、線状光源６１から印刷用紙に照射された光の反射光を入射させるための光入射開口部６８ａが形成される。この光入射開口部６８ａは、エア用流路９３に臨む位置に形成される。そして、光入射開口部６８ａには、光透過部材としてのガラスにより構成され、この光入射開口部６８ａを覆う光入射カバー９２が配設される。この光入射開口部６８ａは、その全域が光入射カバー９２により閉口される。このため、光入射開口部６８ａから読取用筐体６８内への空気の流入を防止することが可能となる。
【００４９】
また、この撮像部６０は、エア用流路９３に対して印刷用紙の搬送平面に向けたエア流を形成するためのエアを供給するエア供給手段としての一対のエアノズル９４をさらに備える。各エアノズル９４は、エア供給源としてのコンプレッサー１０５（図６）に接続され、エア用流路９３を形成する一対の照明用筐体６７の側面の内側に配設される。
【００５０】
このため、エアノズル９４からエア用流路９３に供給されたエアは、エア用流路９３内を通過して印刷用紙の搬送平面に向けられたエア流を形成する。このように、エア用流路９３にエア流が形成されることにより印刷用紙から光入射カバー９２方向へのゴミの侵入を防止することができる。これにより、光入射カバー９２の表面にゴミが付着することを防止することが可能となる。
【００５１】
図６は、この発明の第１実施形態に係る画像読取装置としての撮像部６０の主要な電気的構成を示すブロック図である。
【００５２】
この撮像部６０は、その制御に必要な動作プログラムが格納されたＲＯＭ１０１と、制御時にデータが一時的にストアされるＲＡＭ１０２と、論理演算を実行するＣＰＵ１０３とからなる制御部１００を備える。この制御部１００は、インターフェース１０４を介して、線状光源６１、ＣＣＤラインセンサ６６、コンプレッサー１０５等と電気的に接続されている。
【００５３】
このような構成を有する撮像部６０は、搬送される印刷用紙に対して線状光源６１から光を照射し、印刷用紙に照射された光の反射光をＣＣＤラインセンサ６６により折り返しミラー６３、６４および集光レンズ６５を介して読み取る。このとき、エアノズル９４から印刷用紙搬送平面に向けてエア流が形成されているので、光入射カバー９２の表面へのゴミの付着を防止することが可能となる。このため、読み取られる画像の質が低下することを防止することが可能となる。
【００５４】
次に、この発明の他の実施形態を図面に基づいて説明する。図７はこの発明の第２実施形態に係る画像読取装置としての撮像部１６０を示す側断面図であり、図８はその裏面図である。なお、第１実施形態と同一部材については、同一符号を使用して説明する。
【００５５】
この発明の第２実施形態に係る画像読取装置としての撮像部１６０は、上述した第１実施形態に係る画像読取装置としての撮像部６０に対して、エアノズル９４により形成されたエア流を、印刷用紙方向と各光出射カバー９１方向とに分岐するための一対のエア分岐部材９５を備える点で、第１実施形態の撮像部６０とは異なる。
【００５６】
エア流通路９３に形成された印刷用紙の搬送平面に向けられたエア流は、このエア分岐部材９５の作用により、その一部が一対のエア分岐部材９５の間を通過し、残りの一部がエア分岐部材９５に偏向されて光出射カバー９１の方向の流れを形成する。このように、エア分岐部材９５を備えることにより、エア流通路９３に形成された印刷用紙の搬送平面に向けられたエア流を印刷用紙方向と各光出射カバー９１方向とに分岐することができる。このため、同一のエア供給手段によって各光出射カバー９１の表面へのゴミの付着を防止することも可能となる。これにより、より均一な光を照射することができ、読み取られる画像の質が低下することをさらに防止することが可能となる。
【００５７】
図９はこの発明の第３実施形態に係る画像読取装置としての撮像部２６０を示す側断面図である。
【００５８】
上述した第１実施形態に係る画像読取装置としての撮像部６０は、各照明用筐体６７におけるエア用流路９３を形成する側面の内側に配設されたエアノズル９４を備える。これに対し、この発明の第３実施形態に係る画像読取装置としての撮像部２６０は、第１実施形態におけるエアノズル９４の代わりに、光出射開口部２６７ａが形成された照明用筐体２６７に対し、エア供給手段に接続されるエア流入口２６１と、エア流入口２６１から流入したエアをエア用流路９３に流出するエア流出口２６２とを形成している。ここで、エア流出口２６２は、その面積がエア流入口２６１の面積と比較して小さくなるように形成される。
【００５９】
このため、エア流出口２６２から流出するエア量よりもエア流入口２６１から流入するエア量の方が大きくなるため、照明用筐体２６７の内部が増圧される。したがって、第３実施形態に係る画像読取装置としての撮像部２６０によれば、照明用筐体２６７内部へのゴミの侵入を防止することが可能となる。また、これとともに、エア流入口２６１からのエアの流入により、照明用筐体２６７内部の温度上昇を低減することが可能となる。これにより、読み取られる画像の質が低下することを防止することが可能となる。
【００６０】
さらに、第３実施形態に係る画像読取装置としての撮像部２６０における照明用筐体２６７には、エア流入口２６１から流入したエアを光出射カバー９１の表面に向けて流出させるための第２エア流出口２６３がさらに形成される。
【００６１】
このため、第２エア流出口２６３から光出射カバー９１の表面に向けられたエア流が形成される。したがって、第３実施形態に係る画像読取装置としての撮像部２６０によれば、光出射カバー９１の表面へのゴミの付着を防止することが可能となる。
【００６２】
図１０はこの発明の第４実施形態に係る画像読取装置としての撮像部３６０を示す正面概要図である。また、図１１はその側断面図であり、図１２はその裏面図である。
【００６３】
上述した第１実施形態に係る画像読取装置としての撮像部６０は、照明用筐体６７の側壁によりエア用流路９３を形成しており、エア用流路９３のエアノズル９４よりも上流側に光入射カバー９２を備える。これに対し、この発明の第４実施形態に係る画像読取装置としての撮像部３６０は、エア用流路９３が形成されていないため、光入射カバー９２を、光入射開口部６８ａから読取用筐体６８内への空気の流入を防止するための位置であればいずれの位置に配置してもよい。なお、この第４実施形態においては、光出射カバー９１と同一平面上の位置に配置している。そして、この第４実施形態に係る画像読取装置としての撮像部３６０は、光出射カバー９１および光入射カバー９２に対してエアを噴き付けるエア噴き付け部材３６１を備える。
【００６４】
このため、エア噴き付け部材３６１により、光出射カバー９１および光入射カバー９２の表面にエアが噴き付けられ、ゴミが接近することを防止することができる。また、一旦光出射カバー９１および光入射カバー９２の表面にゴミが付着したとしても、エアを噴き付けることにより、これを除去することができる。したがって、第４実施形態に係る画像読取装置としての撮像部３６０によれば、光出射カバー９１および光入射カバー９２の表面へのゴミの付着を防止することが可能となる。これにより、読み取られる画像の質が低下することを防止することが可能となる。
【００６５】
図１３はこの発明の第５実施形態に係る画像読取装置としての撮像部４６０を示す正面概要図であり、図１４はその側断面図である。
【００６６】
この第５実施形態に係る画像読取装置としての撮像部４６０は、上述した第４実施形態に係る画像読取装置としての撮像部３６０に対して、光出射カバー９１および光入射カバー９２に当接して移動可能なブラシ４６５と、ブラシ４６５を移動させるブラシ移動機構とをさらに備える点で、第４実施形態に係る画像読取装置としての撮像部３６０とは異なる。
【００６７】
ブラシ移動機構は、光出射カバー９１および光入射カバー９２の端部付近に備えられたブラシ４６５の移動の駆動源となるモータ４６１と、モータ４６１により回転される主プーリ４６２および副プーリ４６３と、主プーリ４６２および副プーリ４６３に巻回され、ブラシ４６５を把持するワイヤ４６４と、により構成される。
【００６８】
ブラシ４６５は、モータ４６１の回転によりワイヤ４６４が主プーリ４６２と副プーリ４６３との間を往復移動すること伴って移動可能となっている。
【００６９】
このため、第５実施形態に係る画像読取装置としての撮像部４６０は、ブラシ４６５の移動により光出射カバー９１および光入射カバー９２の表面にゴミが一旦付着したとしても、このゴミを光出射カバー９１および光入射カバー９２から剥離することが可能となる。
【００７０】
図１５はこの発明の第６実施形態に係る画像読取装置としての撮像部５６０を示す正面概要図であり、図１６はその側断面図である。
【００７１】
この第６実施形態に係る画像読取装置としての撮像部５６０は、上述した第４実施形態に係る画像読取装置としての撮像部３６０に対して、光出射カバー９１および光入射カバー９２を振動させる振動手段としての超音波振動子５６１をさらに備える点で、第４実施形態に係る画像読取装置としての撮像部３６０とは異なる。
【００７２】
超音波振動子５６１は、光出射カバー９１および光入射カバー９２の両端部付近にそれぞれ１ずつ配置される。
【００７３】
このため、第６実施形態に係る画像読取装置としての撮像部５６０は、超音波振動子５６１の振動により光出射カバー９１および光入射カバー９２の表面にゴミが一旦付着したとしても、このゴミを光出射カバー９１および光入射カバー９２から剥離することが可能となる。なお、振動手段として超音波振動子を利用していることから、簡易な構成でありながら、光出射カバー９１および光入射カバー９２を振動させることが可能となる。
【００７４】
なお、上述した第５実施形態におけるブラシ４６５およびブラシ移動機構を、第４実施形態以外の実施形態に適用してもよい。この場合には、光出射カバー９１と光入射カバー９２との高さ位置が異なるため、ブラシ４６５が光出射カバー９１および光入射カバー９２に好ましい当接圧により当接するようにブラシ毛の形状を調整してもよい、また、光出射カバー９１用のブラシと光入射カバー９２用のブラシとの２種類のブラシを利用してもよい。
【００７５】
また、上述した第６実施形態における振動手段を、第４実施形態以外の実施形態に適用してもよい。さらに、第５実施形態におけるブラシ４６５およびブラシ移動機構と組み合わせてもよい。
【図面の簡単な説明】
【００７６】
【図１】この発明の第１実施形態に係る印刷装置の概要図である。
【図２】この発明の第１実施形態に係る画像読取装置としての撮像部６０を排紙胴１９等の排紙機構とともに示す側面概要図である。
【図３】この発明の第１実施形態に係る画像読取装置としての撮像部６０を示す正面概要図である。
【図４】この発明の第１実施形態に係る画像読取装置としての撮像部６０を示す側断面図である。
【図５】この発明の第１実施形態に係る画像読取装置としての撮像部６０を示す裏面図である。
【図６】この発明の第１実施形態に係る画像読取装置としての撮像部６０の主要な電気的構成を示すブロック図である。
【図７】この発明の第２実施形態に係る画像読取装置としての撮像部１６０を示す側断面図である。
【図８】この発明の第２実施形態に係る画像読取装置としての撮像部１６０を示す裏面図である。
【図９】この発明の第３実施形態に係る画像読取装置としての撮像部２６０を示す側断面図である。
【図１０】この発明の第４実施形態に係る画像読取装置としての撮像部３６０を示す正面概要図である。
【図１１】この発明の第４実施形態に係る画像読取装置としての撮像部３６０を示す側断面図である。
【図１２】この発明の第４実施形態に係る画像読取装置としての撮像部３６０を示す裏面図である。
【図１３】この発明の第５実施形態に係る画像読取装置としての撮像部４６０を示す正面概要図である。
【図１４】この発明の第５実施形態に係る画像読取装置としての撮像部４６０を示す側断面図である。
【図１５】この発明の第６実施形態に係る画像読取装置としての撮像部５６０を示す正面概要図である。
【図１６】この発明の第６実施形態に係る画像読取装置としての撮像部５６０を示す側断面図である。
【符号の説明】
【００７７】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２２    スプロケット
２３    チェーン
２５    従動プーリ
２６    ギヤ
２７    モータ
２８    駆動プーリ
２９    ベルト
３０    グリッパ
３１    給紙部
３２    排紙部
３３    給版部
３４    給版部
３５    画像記録装置
３６    画像記録装置
４１    供給カセット
４２    カッター
４３    供給カセット
４４    カッター
６０    撮像部
６１    線状光源
６２    集光板
６３    折り返しミラー
６４    折り返しミラー
６５    集光レンズ
６６    ＣＣＤラインセンサ
６７    照明用筐体
６８    読取用筐体
７０    吸着ローラ
７１    ギヤ
７２    アイドラギヤ
７３    アイドラギヤ
９１    光出射カバー
９２    光入射カバー
９３    エア用流路
９４    エアノズル
９５    エア分岐部材
１００  制御部
１０１  ＲＯＭ
１０２  ＲＡＭ
１０３  ＣＰＵ
１０４  インターフェース
１６０  撮像部
２６０  撮像部
２６１  エア流入口
２６２  エア流出口
２６３  第２エア流出口
２６７  照明用筐体
３６０  撮像部
３６１  エア噴き付け部材
３６７  照明用筐体
４６０  撮像部
４６１  モータ
４６２  主プーリ
４６３  副プーリ
４６４  ワイヤ
４６５  ブラシ
５６０  撮像部
５６１  超音波振動子
【図１】
2006314020.tif 000003
【図２】
2006314020.tif 000004
【図３】
2006314020.tif 000005
【図４】
2006314020.tif 000006
【図５】
2006314020.tif 000007
【図６】
2006314020.tif 000008
【図７】
2006314020.tif 000009
【図８】
2006314020.tif 000010
【図９】
2006314020.tif 000011
【図１０】
2006314020.tif 000012
【図１１】
2006314020.tif 000013
【図１２】
2006314020.tif 000014
【図１３】
2006314020.tif 000015
【図１４】
2006314020.tif 000016
【図１５】
2006314020.tif 000017
【図１６】
2006314020.tif 000018